(57)【特許請求の範囲】
【請求項１】
三角形状の横断面を有し、その頂点にあたる側に紙葉類を挟むはさみ口を有するダブルクリップ本体と、
ダブルクリップ本体の外面におけるはさみ口の側に一端部が回転自在に支持され、前記三角形状の横断面の底辺の側に自由端部を回転し、前記底辺を除く他の二辺に沿って配置すると、前記自由端部が前記底辺よりも反はさみ口側に延び、前記はさみ口をてこの原理で開く一対の開閉レバーと、を備えるダブルクリップであって、
前記ダブルクリップ本体のうち、前記一対の開閉レバーがてことして使用された場合に当該開閉レバーの支点となる当接箇所であって、ダブルクリップ本体を横断面で見た場合の前記底辺と前記他の二辺との境目には、前記一対の開閉レバーの一部が支点としてそれぞれちょうど収まる溝又は凹部が形成され、前記一対の開閉レバーは、前記当接箇所で相互に他方に対して近づく方向に折り曲げられ、
当該溝又は凹部に収まっている箇所からそれよりも先までの部分がダブルクリップ本体の高さ寸法と同じ寸法の間隔で平行に又は、収束するように延ばされているダブルクリップ。
【発明の詳細な説明】
【技術分野】
【０００１】  この発明は、書類等を綴じるダブルクリップに関する。
【背景技術】
【０００２】  図４に示すように、ダブルクリップは、金属やプラスチック製でかつ紙葉類を挟む部位であるはさみ口を有するダブルクリップ本体と、前記はさみ口を″てこの原理″で開く相対する一対の開閉レバーとを備える。【０００３】  ダブルクリップ本体の横断面は、三角形状をしている。そして、その頂点にあたる側に前記″はさみ口″を有し、このはさみ口は、三角形の底辺にあたる部分の弾性により、外力が加わらなければ、常に閉塞した状態になっている。【０００４】  一方、ダブルクリップは、既述のようにその横断面が三角形であり、前記一対の開閉レバーは、前記はさみ口側で回転自在に支持された状態で取り付けられている。このため、当該一対の開閉レバーは、前記はさみ口側を回転中心にして回転し、前記底辺の側に向けて回転されると、前記三角形の底辺を除く他の二辺に沿って配置されるようになる。開閉レバーがこの状態にあるときを開閉レバーが開いた状態にあるという。【０００５】  反対に一対の開閉レバーが逆方向に回転され、相互に他方のレバーに当接するまで回転した状態にあるときを開閉レバーが閉じた状態にあるという。【０００６】  ところで、ダブルクリップ本体における紙葉類の挟み込み方向（ダブルクリップの奥行き方向のこと）の寸法よりも開閉レバーの長さ寸法の方が長い。【０００７】  このため、開閉レバーが開いた状態にあるとき、これら一対の開閉レバーは、それぞれ前記三角形の底辺を除く他の二辺に沿って反はさみ口側（以下ダブルクリップの後方側）において、自由端部分が前記底辺よりも後方側に延びるように位置する。【０００８】  すなわち一対の開閉レバーは、ダブルクリップ本体を側面側から見たときにダブルクリップの三角形な横断面形状に合わせて末広がり形態になる。したがって、当該状態において、開閉レバーは自由端側に行くほどダブルクリップ本体から後方側にはみ出し、自由端同士の間隔が大きくなる。【０００９】  またダブルクリップで紙葉類を挟み込むために、使用者が、前記開いた状態の開閉レバーを、親指と人差し指とでつまみ、開閉レバーの自由端同士が接近するように両方の指に力を加える。すると、てこの原理で、前記一対の開閉レバーのそれぞれにおける自由端部分が力点となり、前記はさみ口側に位置する部分が作用点となり、両部分の間に位置しかつダブルクリップ本体に当接する部分が支点となる。そして、前記力点となる前記各自由端部分に相互に他方に接近させる外力が作用すると、前記支点を支えに前記はさみ口側に取り付けられている部分が、相互に他方に対して離れる方向に移動する。この結果、ダブルクリップ本体の前記底辺にあたる部分に弾性を生じ、前記はさみ口を閉じる方向に力が作用し、はさみ口に入れた紙葉類を挟むことができる。
【特許文献１】特開２００４−０４２５８７
【特許文献２】特開平０９−０８６０８６
【発明が解決しようとする課題】
【００１０】  ところで特に特大のダブルクリップを利用する場合、一対の開閉レバーの自由端同士の間の間隔が、手の小さな人には、大き過ぎて力を入れづらく使い勝手が悪かった。
【００１１】  また、開閉レバーが開いた状態にあると、当該開閉レバーは末広がり状に延びているため、ダブルクリップで紙葉類を閉じた状態において当該紙葉類をめくると、めくった紙葉類が開閉レバーの自由端部分に当たり、めくられた紙葉類が当該当接箇所で盛り上がってしまう。このため当該めくられた紙葉類は弾性力を有するようになり、ちょっとした弾みで元のめくられる前の状態に戻ってしまうこともありえる。
【発明の開示】
【発明が解決しようとする課題】
【００１２】  そこで本発明は、ダブルクリップのはさみ口を開くことを容易にし、ダブルクリップで挟んである紙葉類をめくったときに、開閉レバーと紙葉類とが当たる箇所で、盛り上がりにくくできるダブルクリップを提供することを課題とする。
【課題を解決するための手段】
【００１３】  本発明のダブルクリップは、上記実情に鑑みて発明されたものである。すなわち、紙葉類を挟むはさみ口を有するダブルクリップ本体と、前記はさみ口をてこの原理で開く一対の開閉レバーとを備えるダブルクリップであって、前記ダブルクリップ本体は、前記一対の開閉レバーが、てことして使用された場合に支点となる当接箇所に溝又は凹部が形成され、当該溝又は凹部に前記一対の開閉レバーがそれぞれ収められるとともに、前記開閉レバーは、前記当接箇所で相互に他方に対して近づく方向に向けて折り曲げられていることを特徴とする。【００１４】  このようにすることで、一対の開閉レバーは、その自由端の間隔が従来のダブルクリップに比べ小さくなる。よって、手の小さな子供や女性でも一対の開閉レバーに指が掛け易くなり、力を入れ易い。このためダブルクリップを開き易くできる。【００１５】  また、前記一対の開閉レバーは、前記溝又は凹部に収められた状態において、当該溝又は凹部に収まっている箇所からそれよりも先までの部分がダブルクリップ本体の高さ寸法と同じ高さでかつ平行になるように、または当該先までの部分が相互に他方に対して交差する方向に曲折形成するようにしてもよい。このようにすることで、ダブルクリップで紙葉類を挟んだ状態でかつ前記一対の開閉レバーが開いている状態において紙葉類をめくったときに、開閉レバーと紙葉類とが当たる箇所での盛り上がりをダブルクリップ本体の高さ寸法よりも大きくならないようにできる。【００１６】  このように、ダブルクリップで紙葉類を挟んだ状態で紙葉類をめくったときにできる紙葉類の盛り上がりを抑制することができるので、紙葉類がめくられたときに発生する弾性により紙葉類が勝手にめくられる前の状態に戻ってしまうことがない。よって、紙葉類がめくられた状態を安定的に維持することができる。
【発明の効果】
【００１７】  ダブルクリップで紙葉類を挟み易くすることができる。また、ダブルクリップで挟んである紙葉類をめくったときに開閉レバーと紙葉類とが当たる箇所での盛り上がりを防止できるので、紙葉類のめくられた状態を安定的に維持することができる。
【発明を実施するための最良の形態】
【００１８】  図１乃至３からわかるように、ダブルクリップ１は、紙葉類４を挟むはさみ口２ｍを有するダブルクリップ本体２と、はさみ口２ｍを″てこの原理″で開く一対の開閉レバー３とを備える。【００１９】  クリップ本体２は、一対の開閉レバー３が開かれた状態でてことして使用される場合において、支点となる当接箇所に溝２１が形成されている。そして、溝２１に一対の開閉レバー３がそれぞれ部分的に収められるようになっているとともに、開閉レバー３は、当該当接箇所で相互に他方に対して近づく方向に折り曲げられている。【００２０】  詳しくは、一対の開閉レバー３は、溝２１よりも先までの部分がダブルクリップ本体２の高さ寸法と同じ高さでかつ平行になるように、または当該先までの部分が相互に他方に対してその延長線上で交差する方向に曲折されている【００２１】  したがって、ダブルクリップ１によれば、一対の開閉レバー３が開いた状態にあっても、それらの自由端側における開閉レバー同士の間隔が、従来のダブルクリップに比較して小さいため、手の小さな人、例えば子供や女性でも一対の開閉レバー３に指を掛け易くなる。したがって、ダブルクリップ１の開閉レバーに力を加え易くできるので、ダブルクリップ１のはさみ口２ｍの開閉を容易に行えるようになる。【００２２】  また、一対の開閉レバー３は、溝２１に収められた状態において、溝２１よりも先までの部分がダブルクリップ本体２の高さ寸法と同じ高さで平行になるように、または交差するように曲折形成されているので、ダブルクリップ１で紙葉類４を挟んだ状態で紙葉類４をめくったときに、開閉レバー３と紙葉類４とが当たる箇所での盛り上がりをダブルクリップ本体２の高さ寸法以上になることを抑制することができる。この結果、紙葉類４のめくられた状態を安定的に維持できるようになる。【００２３】  また、ダブルクリップ１の底面となる部分において、底面側の溝２１に開閉レバーの一方が収まるので、底面が平面的となる。このため、ダブルクリップ１で紙葉類４を挟んだ状態で、これを例えば机上に置いたときに安定しておくことができる。【００２４】  なお、上記の実施の形態は一実施例にすぎず、明細書の内容に限定されるものではない。
また、溝２１の代わりに凹部であってもよい。
【図面の簡単な説明】
【００２５】
【図１】  本発明に係るダブルクリップの全体斜視図である。
【図２】  図２の側面図である。
【図３】  本発明に係るダブルクリップを用いて紙葉類を綴じている状態を示す全体斜視図である。
【図４】  従来のダブルクリップの側面図である。
【符号の説明】
【００２６】  １  ダブルクリップ
２  ダブルクリップ本体
２ｍ  はさみ口
３  開閉レバー
４  紙葉類
２１  溝
【要約】
【課題】ダブルクリップの開閉を容易にし、ダブルクリップで挟んである紙葉類４をめくったときに開閉レバーと紙葉類とが当たる箇所で盛り上がってしまうことを防止すること。
【解決手段】紙葉類４を挟むはさみ口２ｍを有するダブルクリップ本体２と、はさみ口２ｍをてこの原理で開く一対の開閉レバー３とを備えるダブルクリップ１である。クリップ本体２は、一対の開閉レバー３が、てことして使用された場合に支点となる当接箇所に溝２１が形成され、溝２１に一対の開閉レバー３がそれぞれ収められるとともに、前記開閉レバー３は、当接箇所で相互に他方に対して近づく方向に折り曲げられていることを特徴とする。
【選択図】図２【図３】
0004177426.tif 000002
【図４】
0004177426.tif 000003
【図１】
0004177426.tif 000004
【図２】
0004177426.tif 000005